(57)【要約】【課題】レシートを発行する販売データ処理装置において、顧客にとってのレシートの付加価値を高めると共に、商店側ではレシートによる宣伝効果を高めることができる構成を提供する。【解決手段】販売データ処理装置の販売情報作成部１は、商品コードや販売個数などの情報の入力に応じて、前記情報と登録されている商品情報に基づいて販売情報を作成する。広告データ入力部２ａから商店の広告情報のデータが入力され、広告データ記憶部２ｂに記憶される。２次元コード変換部３は、販売情報作成部１が作成した販売情報のデータと記憶部２ｂに記憶された広告データを２次元コードに変換する。印刷部４は、販売情報作成部１が作成した販売情報（文字データ）と、２次元コード変換部３で作成された２次元コードをレシートに印刷する。【選択図】        図１
2004152038.tif 000002
【特許請求の範囲】
【請求項１】
商品販売に関する情報の入力に応じて、該情報と登録されている商品情報に基づいて販売情報を作成し、レシートに印刷する商品販売データ処理装置において、
広告情報を入力する入力手段と、
該入力手段により入力された広告情報を記憶する記憶手段と、
前記販売情報と前記記憶手段に記憶された広告情報を２次元コードに変換する２次元コード変換手段を有し、
該２次元コード変換手段により作成された２次元コードを前記レシートに印刷することを特徴とする商品販売データ処理装置。
【発明の詳細な説明】
【０００１】
【発明の属する技術分野】
本発明は、商品販売に関する情報の入力に応じて、該情報と登録されている商品情報に基づいて販売情報を作成し、レシートに印刷する商品販売データ処理装置に関するものである。
【０００２】
【従来の技術】
一般に、スーパー等の商店のレジで用いられる商品販売データ処理装置では、キーやバーコードスキャナ等の入力手段により商品コード等の商品販売に関する情報が入力されると、登録されている商品情報に基づき商品名、価格、合計金額などの販売情報を作成してレシートに印刷し、顧客に渡せるようになっている。
【０００３】
このような商品販売データ処理装置において、レシートの付加価値を高める方法として、購入する商品に関する情報、販促メッセージ、売れ筋情報、或いはニュースや天気予報などの情報を販売情報に付加してレシートに印刷する構成が例えば特許文献１〜４などで知られている。
【０００４】
また、レシートに販売情報を文字、数字で印刷すると共に、販売情報を２次元コード化して印刷する構成が特許文献５により知られている。この構成では、レシートを受け取る顧客が自宅のパソコンなどで構成される家計簿データ処理装置でレシートの２次元コードを読み取ることにより、家計簿データとしての販売情報のデータの入力を容易に行うことができる。
【０００５】
【特許文献１】
特開２０００−３１５２８３号公報（請求項２，３，４）
【特許文献２】
特開２０００−２３５６６８号公報（請求項１、図６）
【特許文献３】
特開平７−３２０１５２号公報（請求項１、図５）
【特許文献４】
特開平８−３１５２５２号公報（請求項１、図６）
【特許文献５】
特開平７−６２７０号公報（請求項１、図４）
【０００６】
【発明が解決しようとする課題】
しかしながら、上記特許文献１〜４に記載された構成では、販売情報に付加してレシートに印刷する情報は、レシートの限られたスペースを用いて印刷せねばならず、印刷できる情報量に制限があるという欠点があった。
【０００７】
また、特許文献５に記載された構成では、２次元コードによりレシートの狭いスペースに比較的多量の販売情報の印刷を行なうことができるが、顧客にとっては２次元コードにより家計簿データ処理のための入力を容易にする利点があるものの、レシートを発行する商店側では直接には何ら利点がないという問題があった。
【０００８】
そこで本発明の課題は、レシートを受け取る顧客にとってのレシートの付加価値を高めると共に、発行する商店側ではレシートによる宣伝効果を高めることができる商品販売データ処理装置を提供することにある。
【０００９】
【課題を解決するための手段】
上記の課題を解決するため、本発明によれば、
商品販売に関する情報の入力に応じて、該情報と登録されている商品情報に基づいて販売情報を作成し、レシートに印刷する商品販売データ処理装置において、
広告情報を入力する入力手段と、
該入力手段により入力された広告情報を記憶する記憶手段と、
前記販売情報と前記記憶手段に記憶された広告情報を２次元コードに変換する２次元コード変換手段を有し、
該２次元コード変換手段により作成された２次元コードを前記レシートに印刷する構成を採用した。
【００１０】
【発明の実施の形態】
以下、図を参照して本発明の実施の形態を説明する。
【００１１】
図１は、本発明の実施形態における商品販売データ処理装置の機能的な構成を示すブロック図である。
【００１２】
１は販売情報作成部であり、商品販売データ処理装置の不図示のハードウェア構成におけるバーコードスキャナやキーボードなどの入力手段から入力される商品コード、個数、預り金額などの販売に関わるデータと、不図示のメモリやハードディスク装置などの記憶手段に記憶（登録）された商品データに基づいて、商品名、単価、個数、金額、小計金額、消費税金額、合計金額などからなる販売情報（文字データ）を作成する。この販売情報作成部１と後述する２次元コード変換部３は、商品販売データ処理装置全体を制御するマイクロコンピュータの機能として実現される。
【００１３】
２ａは広告データ入力部であり、商品販売データ処理装置を使用する商店の安売り情報等の広告情報のデータを入力するものであり、具体的には不図示のキーボード、或いは外部のパーソナルコンピュータとのインターフェースなどの入力手段からなる。この広告データ入力部２ａから入力された広告データ（文字データ）は、不図示のメモリやハードディスク装置などの記憶手段からなる広告データ記憶部２ｂに記憶される。
【００１４】
３は２次元コード変換部であり、販売情報作成部１で作成した販売情報のデータ（文字データ）に広告データ記憶部２ｂに記憶されている広告データ（文字データ）を付加し、その全体の文字データを２次元コードに変換する。
【００１５】
４は印刷部であり、不図示のプリンタとこれを制御するマイクロコンピュータの機能として実現され、販売情報作成部１で作成された販売情報のデータ（文字データ）と、２次元コード変換部４で作成された２次元コードをレシートに印刷する。
【００１６】
次に、図２は、上記構成におけるレシート発行までの処理手順を示すフローチャート図である。
【００１７】
ステップＳ１では、販売情報作成部１で入力された商品コードや個数情報などを元に販売情報のデータを作成する。
【００１８】
ステップＳ２では、販売情報作成部１がステップＳ１で作成した販売データを２次元コード変換部３に送り、２次元コード変換部３は、送られた販売データに対して広告データ記憶部２ｂに記憶されている商店の広告データを付加する。
【００１９】
ステップＳ３では、２次元コード変換部３が広告データを付加した販売データ（文字データ）を２次元コードに変換する。
【００２０】
ステップＳ４では、印刷部４が販売情報作成部１で作成された販売データ（文字データ）をレシートに印刷し、その後、ステップＳ５において同じレシートに対してステップＳ３で作成された２次元コードを印刷し、レシートを発行する。
【００２１】
図３に発行されたレシートの一例を示す。レシート５には、商品名、単価、個数、金額、小計金額、消費税金額、合計金額などからなる販売情報６が印刷されるとともに、販売情報６の内容と商店の広告データを２次元コード化した２次元コード７が印刷される。
【００２２】
図４は２次元コード７のデータフォーマットを示している。８はレシートの発行日の日付データである。９は販売情報６の販売品目毎の個別データであり、その内容は分類・品名・単価・個数・合計となっている。具体的に図３のレシート５を例に取ると、分類：野菜、品名：きゅうり、単価：５０円、個数：３、合計１５０円となる。１０も個別データ９と同様のフォーマットの次の個別データである。このように個別データが続き、消費税も含めた販売情報６の全てがデータとして続く。１１は販売情報６の終了を意味する予め定めた終了コードである。１２は広告データ記憶部２ｂに記憶されていた広告データである。
【００２３】
図５に広告データのフォーマットを示す。１３はフォントや文字装飾を示すＥＳＣ（エスケープ）コードである。１４は文字コードであり、広告として表示したい文字の文字コードが列記されていく。またフォントや文字装飾の変更を行う時には１５で示すようにＥＳＣコードで再設定する。このようにＥＳＣコードと文字コードを用いて広告データが作成されている。１６は広告データの終了を示すＥＯＦ（Ｅｎｄ  Ｏｆ  Ｆｉｌｅ）である。
【００２４】
このような販売情報のデータと広告データの２次元コードを印刷したレシートを受け取った顧客は、図６に示すような家計簿データ処理装置により、レシートの２次元コードを読み取り、販売データと広告データを入力することができる。
【００２５】
家計簿データ処理装置は、パーソナルコンピュータ（以下、パソコンと略す）１７と、表示を行うディスプレイ１８、及び２次元コードの画像を読み取るスキャナ１９から構成され、その機能は、パソコン１７上で動作する家計簿データ処理ソフトにより実現される。
【００２６】
家計簿データ処理ソフトの動作により、スキャナ１９がコントロールされて例えば図３のレシート５から２次元コード７の画像が読み取られる。そして、その画像から２次元コードが解読され、図４の終了コード１１の検出により販売情報６のデータと広告データ１２が判別され、それぞれパソコン１７のハードディスク装置やメモリなどの記憶手段に記憶されるとともに、図７に示すディスプレイ１９の画面上に販売情報６が符号２１で示すように個別データ毎に表示され、広告データも符号２２で示すように表示される。また、今回入力された販売情報のデータと過去に入力され上記記憶手段に蓄積された販売情報のデータにより、当日、一ヶ月、一年単位などの販売情報の金額の合計や収支などが計算され、その結果の情報が家計簿情報として上記記憶手段に記憶されると共に、符号２０で示すように表示される。
【００２７】
以上のような実施形態によれば、図３のように販売データと広告データの２次元コード７を印刷したレシート５を受け取った顧客は、家計簿データ処理装置でレシート５から２次元コード７を読み取って家計簿データとしての販売データの入力を容易に行えると共に、レシート５を発行した商店の広告情報を知ることができる。
【００２８】
また、商店側では、顧客に家計簿データ処理装置で広告情報を見させることで宣伝を行うことができる。そして、小さなレシートに広告情報を文字で印刷して顧客に見せる場合に比べて、ディスプレイ１８の大きな画面上でより多くの広告情報を大きな文字で表示させて、宣伝を非常に効果的に行うことができる。
【００２９】
［他の実施形態］
上述した実施形態では、図６の家計簿データ処理装置において、レシートに印刷された２次元コードを読み取って解読した広告データをそのままディスプレイ１８に表示するものとしていた。
【００３０】
これに対して、図１の商品販売データ処理装置において、２次元コード化してレシートに印刷する広告データを日付に対応したものとし、家計簿データ処理装置で読み取った広告データを日付で管理し、日付に応じて表示するようにしてもよい。この場合の日付に対応した広告データのフォーマットの一例を図８に示す。
【００３１】
図８において、２３は１つの日付別広告データの開始を示すＥＳＣコードである。２４は日付データであり、年月日を示す。２５は日付データ２４に対応した日付別広告データである。２６は、日付別広告データの一例であり、その内容はその日付に表示することにより広告効果があるものとする。このようにＥＳＣコード２３、日付データ２４、日付別広告データ２５の順の繰り返しで複数の日付に対応した広告データが構成され、そのデータの最後には全データの終了を示すＥＯＦ１６が付加される。
【００３２】
また、このような日付に対応した広告データを読み取った家計簿データ処理装置における広告データの保存状態を図９に示す。家計簿データ処理装置では、レシートから読み取った２次元コードを解読して得た上記の日付に対応した広告データの日付データ２４と日付別広告データ２５を対応させて保存する。なお、２７は他店の日付別広告データであるが、日付別広告データは、店に関係なく、全て日付データに対応づけて日付別に保存するものとする。
【００３３】
また、このように日付に対応した広告データを保存した家計簿データ処理装置の起動時におけるディスプレイ１８の表示画面を図１０に示す。家計簿データ処理装置では、起動時に現在の日付を取得し、取得した日付に対応した日付別広告データを表示する。ここでは、２００１．１１．１５という日付を取得し、図９において同日付に対応して記憶されている２つの日付別広告データ２６，２７を表示した様子を示している。
【００３４】
尚、家計簿データ処理装置において、起動時に現在の日付に加え時刻も取得し、その時刻が例えば１８：００というような所定時刻以降である場合は現在の翌日の日付に対応した日付別広告データを表示するというように、時刻により表示内容を切り替えるようにしても良い。
【００３５】
このような実施形態によれば、レシートを発行する商店側では、先々の広告をタイミング良く宣伝することができる。また、レシートを受け取る顧客側では、本日の安売り情報等の今必要な広告情報を得ることが可能となる。
【００３６】
以上、本発明の実施形態を説明したが、本発明の趣旨と範囲は実施形態で説明したものに限定されないことは勿論である。本発明の実施態様の例を以下に列挙する。
【００３７】
［実施態様１］  商品販売に関する情報の入力に応じて、該情報と登録されている商品情報に基づいて販売情報を作成し、レシートに印刷する商品販売データ処理装置において、
広告情報を入力する入力手段と、
該入力手段により入力された広告情報を記憶する記憶手段と、
前記販売情報と前記記憶手段に記憶された広告情報を２次元コードに変換する２次元コード変換手段を有し、
該２次元コード変換手段により作成された２次元コードを前記レシートに印刷することを特徴とする商品販売データ処理装置。
【００３８】
［実施態様２］  前記広告情報に商品の販売価格情報を含むことを特徴とする実施態様１に記載の商品販売データ処理装置。
【００３９】
［実施態様３］  前記広告情報は日付に対応した広告情報であることを特徴とする実施態様１または２に記載の商品販売データ処理装置。
【００４０】
［実施態様４］  実施態様１に記載の商品販売データ処理装置により印刷されたレシートの前記２次元コードを読み取る読取手段と、
情報を記憶する記憶手段と、
情報を表示する表示手段を有し、
前記読取手段により読み取られた２次元コードを解読して前記販売情報と広告情報を判別し、前記記憶手段に記憶するとともに前記表示手段に表示することを特徴とする家計簿データ処理装置。
【００４１】
［実施態様５］  実施態様３に記載の商品販売データ処理装置により印刷されたレシートの前記２次元コードを前記読取手段により読み取り、読み取った２次元コードを解読して得られる前記日付に対応した広告情報を前記記憶手段に日付別に記憶し、該記憶手段に記憶された広告情報の内で現在の日付に対応した広告情報を前記表示手段に表示することを特徴とする実施態様４に記載の家計簿データ処理装置。
【００４２】
［実施態様６］  現在の時刻が所定時刻以降である場合は、前期記憶手段に記憶された広告情報の内で現在の翌日の日付に対応した広告情報を前記表示手段に表示することを特徴とする実施態様５に記載の家計簿データ処理装置。
【００４３】
［実施態様７］  実施態様１から３までのいずれか１態様に記載の商品販売データ処理装置により印刷されたレシートの前記２次元コードを実施態様４から６までのいずれか１態様に記載の家計簿データ処理装置の前記読取手段により読み取り、読み取った２次元コードを解読して得られる前記広告情報を前記表示手段に表示させることにより広告を行うことを特徴とする広告方法。
【００４４】
【発明の効果】
以上の説明から明らかなように、本発明によれば、商品販売データ処理装置において、販売情報と広告情報を２次元コードに変換してレシートに印刷するようにしたので、レシートを受け取る顧客は、自宅のパソコンなどで構成される家計簿データ処理装置でレシートの販売情報のデータの入力を容易に行うことができるとともに、広告情報を知ることができ、顧客にとってのレシートの付加価値を高めることができる。また、レシートを発行する商店側では、レシートの２次元コードにより比較的多量の広告情報を顧客に伝えることができ、宣伝効果を高めることができるという優れた効果が得られる。
【図面の簡単な説明】
【図１】本発明の実施形態における商品販売データ処理装置の機能的な構成を示すブロック図である。
【図２】同装置におけるレシート発行までの処理手順を示すフローチャート図である。
【図３】同装置が発行したレシートの一例を示す説明図である。
【図４】レシートに印刷される２次元コードのデータフォーマットを示す説明図である。
【図５】２次元コードに含まれる広告データのフォーマットを示す説明図である。
【図６】レシートの２次元コードを読み取る家計簿データ処理装置の構成を示す説明図である。
【図７】同家計簿データ処理装置で２次元コードを読み込んだ後の表示画面の一例を示す説明図である。
【図８】日付に対応した広告データのフォーマットを示す説明図である。
【図９】家計簿データ処理装置において読み込んだ日付に対応した広告データの保存状態を示す説明図である。
【図１０】家計簿データ処理装置において起動時に日付に対応した広告データを表示する表示画面を示す説明図である。
【符号の説明】
１  販売情報作成部
２ａ  広告データ入力部
２ｂ  広告データ記憶部
３  ２次元コード変換部
４  印刷部
５  レシート
６  販売情報
７  ２次元コード
８  レシートの発行日の日付データ
９，１０  販売情報の個別データ
１１  終了コード
１２  広告データ
１３，１５  ＥＳＣ（エスケープ）コード
１４  文字コード
１６  ＥＯＦ（Ｅｎｄ  Ｏｆ  Ｆｉｌｅ  ）
１７  パーソナルコンピュータ
１８  ディスプレイ
１９  スキャナ
２０  家計簿情報
２１  販売情報
２２  広告データ
２３  日付別データの開始を示すＥＳＣコード
２４  日付データ
２５  日付別広告データ
【図１】
2004152038.tif 000003
【図２】
2004152038.tif 000004
【図３】
2004152038.tif 000005
【図４】
2004152038.tif 000006
【図５】
2004152038.tif 000007
【図６】
2004152038.tif 000008
【図７】
2004152038.tif 000009
【図８】
2004152038.tif 000010
【図９】
2004152038.tif 000011
【図１０】
2004152038.tif 000012